(57)【特許請求の範囲】
【請求項１】
発光素子を各々が含むと共に発光色が互いに異なる第１乃至第３画素と、前記第１乃至第３画素に映像信号をそれぞれ出力する第１乃至第３信号出力回路とを具備したアクティブマトリクス型表示装置を製造する方法であって、
前記第１画素に第１調整用映像信号を書き込んで前記第１画素が含む前記発光素子を発光させて輝度及び色度を測定する第１工程と、
前記第２画素に第２調整用映像信号を書き込んで前記第２画素が含む前記発光素子を発光させて輝度及び色度を測定する第２工程と、
前記第３画素に第３調整用映像信号を書き込んで前記第３画素が含む前記発光素子を発光させて輝度及び色度を測定する第３工程と、
前記第１乃至第３画素にそれぞれ前記第１乃至第３調整用映像信号を書き込んでそれらが含む前記発光素子を同時に発光させたときに輝度及び色度が特定の値となるように、前記第１乃至第３調整用映像信号の大きさを、前記第１乃至第３工程で行った測定の結果に基づいて再設定する第４工程と、
前記第１乃至第３画素にそれぞれ大きさを再設定した前記第１乃至第３調整用映像信号を書き込んでそれらが含む前記発光素子を同時に発光させて輝度及び色度を測定する第５工程と、
前記第５工程で行った測定の結果が許容範囲内にあり且つ前記第５工程で測定を行っているときの消費電力が上限値を超えている場合に、前記消費電力が前記上限値以下となるように、前記第１乃至第３調整用映像信号の大きさを再設定する第６工程とを含み、
前記第５工程で行った測定の結果が前記許容範囲内にあり且つ前記第５工程で測定を行っているときの前記消費電力が前記上限値を超えている場合には、前記第６工程の後に、この第６工程において大きさを再設定した前記第１乃至第３調整用映像信号を用いて前記第５工程を再度行い、
前記第５工程で行った測定の結果が前記許容範囲外にある場合には、直前に大きさを再設定した前記第１乃至第３調整用映像信号をそれぞれ用いて前記第１乃至第３工程を再度行い、これら第１乃至第３工程における測定の結果を用いて前記第４工程を再度行い、この第４工程において大きさを再設定した前記第１乃至第３調整用映像信号を用いて前記第５工程を再度行い、
前記第５工程で行った測定の結果が前記許容範囲内にあり且つ前記第５工程で測定を行っているときの消費電力が前記上限値以下である場合には、その直前に再設定した前記第１乃至第３調整用映像信号をそれぞれ前記第１乃至第３画素に書き込む前記映像信号の最大値として設定することを特徴とする方法。
【請求項２】
前記映像信号は電圧信号であることを特徴とする請求項１に記載の方法。
【請求項３】
前記発光素子は有機ＥＬ素子であることを特徴とする請求項１に記載の方法。
【請求項４】
第１乃至第３発光素子をそれぞれ含むと共に発光色が互いに異なる第１乃至第３画素と、第１ディジタル映像信号と第１基準電流又は第１基準電圧とからアナログ映像信号を生成してこれを前記第１画素に出力する第１ディジタル−アナログ変換回路と、第２ディジタル映像信号と第２基準電流又は第２基準電圧とからアナログ映像信号を生成してこれを前記第２画素に出力する第２ディジタル−アナログ変換回路と、第３ディジタル映像信号と第３基準電流又は第３基準電圧とからアナログ映像信号を生成してこれを前記第３画素に出力する第３ディジタル−アナログ変換回路と、前記第１基準電流又は前記第１基準電圧を前記第１ディジタル−アナログ変換回路に出力する第１電源回路と、前記第２基準電流又は前記第２基準電圧を前記第２ディジタル−アナログ変換回路に出力する第２電源回路と、前記第３基準電流又は前記第３基準電圧を前記第３ディジタル−アナログ変換回路に出力する第３電源回路とを具備したアクティブマトリクス型表示装置を製造する方法であって、
前記第１ディジタル映像信号の最大値に対応した前記アナログ映像信号を前記第１画素に書き込んで前記第１発光素子を発光させて輝度及び色度を測定する第１工程と、
前記第２ディジタル映像信号の最大値に対応した前記アナログ映像信号を前記第２画素に書き込んで前記第２発光素子を発光させて輝度及び色度を測定する第２工程と、
前記第３ディジタル映像信号の最大値に対応した前記アナログ映像信号を前記第３画素に書き込んで前記第３発光素子を発光させて輝度及び色度を測定する第３工程と、
前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させたときに輝度及び色度が特定の値となるように、前記第１乃至第３基準電流又は前記第１乃至第３基準電圧を、前記第１乃至第３工程で行った測定の結果に基づいて再設定する第４工程と、
前記第１乃至第３基準電流又は前記第１乃至第３基準電圧を再設定した後に、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させて輝度及び色度を測定する第５工程と、
前記第５工程で行った測定の結果が許容範囲内にあり且つ前記第５工程で測定を行っているときの消費電力が上限値を超えている場合に、前記消費電力が前記上限値以下となるように、前記第１乃至第３基準電流又は前記第１乃至第３基準電圧を再設定する第６工程とを含み、
前記第５工程で行った測定の結果が前記許容範囲内にあり且つ前記第５工程で測定を行っているときの前記消費電力が前記上限値を超えている場合には、前記第６工程の後に、前記第５工程を再度行い、
前記第５工程で行った測定の結果が前記許容範囲外にある場合には、前記第１乃至第５工程を再度行うことを特徴とする方法。
【請求項５】
前記第１乃至第３電源回路はそれぞれ前記第１乃至第３基準電圧を出力することを特徴とする請求項４に記載の方法。
【請求項６】
前記第１乃至第３発光素子は有機ＥＬ素子であることを特徴とする請求項４に記載の方法。
【請求項７】
発光素子を各々が含むと共に前記発光素子の発光色が互いに異なる第１乃至第３画素と、前記第１乃至第３画素に映像信号をそれぞれ出力する第１乃至第３信号出力回路とを具備したアクティブマトリクス型表示装置の色バランスを調整する方法であって、
前記第１画素に第１調整用映像信号を書き込んで前記第１画素が含む前記発光素子を発光させて輝度及び色度を測定する第１工程と、
前記第２画素に第２調整用映像信号を書き込んで前記第２画素が含む前記発光素子を発光させて輝度及び色度を測定する第２工程と、
前記第３画素に第３調整用映像信号を書き込んで前記第３画素が含む前記発光素子を発光させて輝度及び色度を測定する第３工程と、
前記第１乃至第３画素にそれぞれ前記第１乃至第３調整用映像信号を書き込んでそれらが含む前記発光素子を同時に発光させたときに輝度及び色度が特定の値となるように、前記第１乃至第３調整用映像信号の大きさを、前記第１乃至第３工程で行った測定の結果に基づいて再設定する第４工程と、
前記第１乃至第３画素にそれぞれ前記第４工程で大きさを設定した前記第１乃至第３調整用映像信号を書き込んでそれらが含む前記発光素子を同時に発光させて輝度及び色度を測定する第５工程と、
前記第５工程で行った測定の結果が許容範囲内にあり且つ前記第５工程で測定を行っているときの消費電力が上限値を超えている場合に、前記消費電力が前記上限値以下となるように、前記第１乃至第３調整用映像信号の大きさを再設定する第６工程とを含み、
前記第５工程で行った測定の結果が前記許容範囲内にあり且つ前記第５工程で測定を行っているときの前記消費電力が前記上限値を超えている場合には、前記第６工程の後に、この第６工程において大きさを再設定した前記第１乃至第３調整用映像信号を用いて前記第５工程を再度行い、
前記第５工程で行った測定の結果が前記許容範囲外にある場合には、直前に大きさを再設定した前記第１乃至第３調整用映像信号をそれぞれ用いて前記第１乃至第３工程を再度行い、これら第１乃至第３工程における測定の結果を用いて前記第４工程を再度行い、この第４工程において大きさを再設定した前記第１乃至第３調整用映像信号を用いて前記第５工程を再度行い、
前記第５工程で行った測定の結果が前記許容範囲内にあり且つ前記第５工程で測定を行っているときの消費電力が前記上限値以下である場合には、その直前に再設定した前記第１乃至第３調整用映像信号をそれぞれ前記第１乃至第３画素に書き込む前記映像信号の最大値として設定することを特徴とする方法。
【請求項８】
第１乃至第３発光素子をそれぞれ含むと共に発光色が互いに異なる第１乃至第３画素と、第１ディジタル映像信号と第１基準電流又は第１基準電圧とからアナログ映像信号を生成してこれを前記第１画素に出力する第１ディジタル−アナログ変換回路と、第２ディジタル映像信号と第２基準電流又は第２基準電圧とからアナログ映像信号を生成してこれを前記第２画素に出力する第２ディジタル−アナログ変換回路と、第３ディジタル映像信号と第３基準電流又は第３基準電圧とからアナログ映像信号を生成してこれを前記第３画素に出力する第３ディジタル−アナログ変換回路と、前記第１基準電流又は前記第１基準電圧を前記第１ディジタル−アナログ変換回路に出力する第１電源回路と、前記第２基準電流又は前記第２基準電圧を前記第２ディジタル−アナログ変換回路に出力する第２電源回路と、前記第３基準電流又は前記第３基準電圧を前記第３ディジタル−アナログ変換回路に出力する第３電源回路とを具備したアクティブマトリクス型表示装置の色バランスを調整する方法であって、
前記第１ディジタル映像信号の最大値に対応した前記アナログ映像信号を前記第１画素に書き込んで前記第１発光素子を発光させて輝度及び色度を測定する第１工程と、
前記第２ディジタル映像信号の最大値に対応した前記アナログ映像信号を前記第２画素に書き込んで前記第２発光素子を発光させて輝度及び色度を測定する第２工程と、
前記第３ディジタル映像信号の最大値に対応した前記アナログ映像信号を前記第３画素に書き込んで前記第３発光素子を発光させて輝度及び色度を測定する第３工程と、
前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させたときに輝度及び色度が特定の値となるように、前記第１乃至第３基準電流又は前記第１乃至第３基準電圧を、前記第１乃至第３工程で行った測定の結果に基づいて再設定する第４工程と、
前記第１乃至第３基準電流又は前記第１乃至第３基準電圧を再設定した後に、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させて輝度及び色度を測定する第５工程と、
前記第５工程で行った測定の結果が許容範囲内にあり且つ前記第５工程で測定を行っているときの消費電力が上限値を超えている場合に、前記消費電力が前記上限値以下となるように、前記第１乃至第３基準電流又は前記第１乃至第３基準電圧を再設定する第６工程とを含み、
前記第５工程で行った測定の結果が前記許容範囲内にあり且つ前記第５工程で測定を行っているときの前記消費電力が前記上限値を超えている場合には、前記第６工程の後に、前記第５工程を再度行い、
前記第５工程で行った測定の結果が前記許容範囲外にある場合には、前記第１乃至第５工程を再度行うことを特徴とする方法。
【発明の詳細な説明】
【技術分野】
【０００１】
本発明は、表示装置の製造方法及び色バランス調整方法に係り、特には、アクティブマトリクス型表示装置の製造方法及び色バランス調整方法に関する。
【背景技術】
【０００２】
カラー画像を表示可能なアクティブマトリクス型表示装置の製造では、所望の白色を達成するために、色バランスを調整することがある。そのような調整方法は、例えば、特許文献１に記載されている。
【０００３】
表示素子として有機エレクトロルミネッセンス（ＥＬ）素子などの発光素子を含んだアクティブマトリクス型表示装置の製造では、上記の色バランスの調整は、例えば、各発光素子の最大パワーを調節することにより行う。しかしながら、そのような表示装置は、消費電力が規定値以下であることが要求される。そのため、先の色バランスの調整には、通常、長い時間が必要である。
【特許文献１】特開２００４−３０９５０９号公報
【発明の開示】
【発明が解決しようとする課題】
【０００４】
本発明の目的は、表示素子として発光素子を含んだアクティブマトリクス型表示装置の色バランス調整に要する時間を短縮することにある。
【課題を解決するための手段】
【０００５】
本発明の第１側面によると、発光素子を各々が含むと共に発光色が互いに異なる第１乃至第３画素と、前記第１乃至第３画素に映像信号をそれぞれ出力する第１乃至第３信号出力回路とを具備したアクティブマトリクス型表示装置を製造する方法であって、前記第１画素に第１調整用映像信号を書き込んで前記第１画素が含む前記発光素子を発光させて輝度及び色度を測定する第１工程と、前記第２画素に第２調整用映像信号を書き込んで前記第２画素が含む前記発光素子を発光させて輝度及び色度を測定する第２工程と、前記第３画素に第３調整用映像信号を書き込んで前記第３画素が含む前記発光素子を発光させて輝度及び色度を測定する第３工程と、前記第１乃至第３画素にそれぞれ前記第１乃至第３調整用映像信号を書き込んでそれらが含む前記発光素子を同時に発光させたときに輝度及び色度が特定の値となるように、前記第１乃至第３調整用映像信号の大きさを、前記第１乃至第３工程で行った測定の結果に基づいて再設定する第４工程と、前記第１乃至第３画素にそれぞれ大きさを再設定した前記第１乃至第３調整用映像信号を書き込んでそれらが含む前記発光素子を同時に発光させて輝度及び色度を測定する第５工程と、前記第５工程で行った測定の結果が許容範囲内にあり且つ前記第５工程で測定を行っているときの消費電力が上限値を超えている場合に、前記消費電力が前記上限値以下となるように、前記第１乃至第３調整用映像信号の大きさを再設定する第６工程とを含み、前記第５工程で行った測定の結果が前記許容範囲内にあり且つ前記第５工程で測定を行っているときの前記消費電力が前記上限値を超えている場合には、前記第６工程の後に、この第６工程において大きさを再設定した前記第１乃至第３調整用映像信号を用いて前記第５工程を再度行い、前記第５工程で行った測定の結果が前記許容範囲外にある場合には、直前に大きさを再設定した前記第１乃至第３調整用映像信号をそれぞれ用いて前記第１乃至第３工程を再度行い、これら第１乃至第３工程における測定の結果を用いて前記第４工程を再度行い、この第４工程において大きさを再設定した前記第１乃至第３調整用映像信号を用いて前記第５工程を再度行い、前記第５工程で行った測定の結果が前記許容範囲内にあり且つ前記第５工程で測定を行っているときの消費電力が前記上限値以下である場合には、その直前に再設定した前記第１乃至第３調整用映像信号をそれぞれ前記第１乃至第３画素に書き込む前記映像信号の最大値として設定することを特徴とする方法が提供される。
【０００６】
本発明の第２側面によると、第１乃至第３発光素子をそれぞれ含むと共に発光色が互いに異なる第１乃至第３画素と、第１ディジタル映像信号と第１基準電流又は第１基準電圧とからアナログ映像信号を生成してこれを前記第１画素に出力する第１ディジタル−アナログ変換回路と、第２ディジタル映像信号と第２基準電流又は第２基準電圧とからアナログ映像信号を生成してこれを前記第２画素に出力する第２ディジタル−アナログ変換回路と、第３ディジタル映像信号と第３基準電流又は第３基準電圧とからアナログ映像信号を生成してこれを前記第３画素に出力する第３ディジタル−アナログ変換回路と、前記第１基準電流又は前記第１基準電圧を前記第１ディジタル−アナログ変換回路に出力する第１電源回路と、前記第２基準電流又は前記第２基準電圧を前記第２ディジタル−アナログ変換回路に出力する第２電源回路と、前記第３基準電流又は前記第３基準電圧を前記第３ディジタル−アナログ変換回路に出力する第３電源回路とを具備したアクティブマトリクス型表示装置を製造する方法であって、前記第１ディジタル映像信号の最大値に対応した前記アナログ映像信号を前記第１画素に書き込んで前記第１発光素子を発光させて輝度及び色度を測定する第１工程と、前記第２ディジタル映像信号の最大値に対応した前記アナログ映像信号を前記第２画素に書き込んで前記第２発光素子を発光させて輝度及び色度を測定する第２工程と、前記第３ディジタル映像信号の最大値に対応した前記アナログ映像信号を前記第３画素に書き込んで前記第３発光素子を発光させて輝度及び色度を測定する第３工程と、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させたときに輝度及び色度が特定の値となるように、前記第１乃至第３基準電流又は前記第１乃至第３基準電圧を、前記第１乃至第３工程で行った測定の結果に基づいて再設定する第４工程と、前記第１乃至第３基準電流又は前記第１乃至第３基準電圧を再設定した後に、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させて輝度及び色度を測定する第５工程と、前記第５工程で行った測定の結果が許容範囲内にあり且つ前記第５工程で測定を行っているときの消費電力が上限値を超えている場合に、前記消費電力が前記上限値以下となるように、前記第１乃至第３基準電流又は前記第１乃至第３基準電圧を再設定する第６工程とを含み、前記第５工程で行った測定の結果が前記許容範囲内にあり且つ前記第５工程で測定を行っているときの前記消費電力が前記上限値を超えている場合には、前記第６工程の後に、前記第５工程を再度行い、前記第５工程で行った測定の結果が前記許容範囲外にある場合には、前記第１乃至第５工程を再度行うことを特徴とする方法が提供される。
【０００７】
本発明の第３側面によると、発光素子を各々が含むと共に前記発光素子の発光色が互いに異なる第１乃至第３画素と、前記第１乃至第３画素に映像信号をそれぞれ出力する第１乃至第３信号出力回路とを具備したアクティブマトリクス型表示装置の色バランスを調整する方法であって、前記第１画素に第１調整用映像信号を書き込んで前記第１画素が含む前記発光素子を発光させて輝度及び色度を測定する第１工程と、前記第２画素に第２調整用映像信号を書き込んで前記第２画素が含む前記発光素子を発光させて輝度及び色度を測定する第２工程と、前記第３画素に第３調整用映像信号を書き込んで前記第３画素が含む前記発光素子を発光させて輝度及び色度を測定する第３工程と、前記第１乃至第３画素にそれぞれ前記第１乃至第３調整用映像信号を書き込んでそれらが含む前記発光素子を同時に発光させたときに輝度及び色度が特定の値となるように、前記第１乃至第３調整用映像信号の大きさを、前記第１乃至第３工程で行った測定の結果に基づいて再設定する第４工程と、前記第１乃至第３画素にそれぞれ前記第４工程で大きさを設定した前記第１乃至第３調整用映像信号を書き込んでそれらが含む前記発光素子を同時に発光させて輝度及び色度を測定する第５工程と、前記第５工程で行った測定の結果が許容範囲内にあり且つ前記第５工程で測定を行っているときの消費電力が上限値を超えている場合に、前記消費電力が前記上限値以下となるように、前記第１乃至第３調整用映像信号の大きさを再設定する第６工程とを含み、前記第５工程で行った測定の結果が前記許容範囲内にあり且つ前記第５工程で測定を行っているときの前記消費電力が前記上限値を超えている場合には、前記第６工程の後に、この第６工程において大きさを再設定した前記第１乃至第３調整用映像信号を用いて前記第５工程を再度行い、前記第５工程で行った測定の結果が前記許容範囲外にある場合には、直前に大きさを再設定した前記第１乃至第３調整用映像信号をそれぞれ用いて前記第１乃至第３工程を再度行い、これら第１乃至第３工程における測定の結果を用いて前記第４工程を再度行い、この第４工程において大きさを再設定した前記第１乃至第３調整用映像信号を用いて前記第５工程を再度行い、前記第５工程で行った測定の結果が前記許容範囲内にあり且つ前記第５工程で測定を行っているときの消費電力が前記上限値以下である場合には、その直前に再設定した前記第１乃至第３調整用映像信号をそれぞれ前記第１乃至第３画素に書き込む前記映像信号の最大値として設定することを特徴とする方法が提供される。
【０００８】
本発明の第４側面によると、第１乃至第３発光素子をそれぞれ含むと共に発光色が互いに異なる第１乃至第３画素と、第１ディジタル映像信号と第１基準電流又は第１基準電圧とからアナログ映像信号を生成してこれを前記第１画素に出力する第１ディジタル−アナログ変換回路と、第２ディジタル映像信号と第２基準電流又は第２基準電圧とからアナログ映像信号を生成してこれを前記第２画素に出力する第２ディジタル−アナログ変換回路と、第３ディジタル映像信号と第３基準電流又は第３基準電圧とからアナログ映像信号を生成してこれを前記第３画素に出力する第３ディジタル−アナログ変換回路と、前記第１基準電流又は前記第１基準電圧を前記第１ディジタル−アナログ変換回路に出力する第１電源回路と、前記第２基準電流又は前記第２基準電圧を前記第２ディジタル−アナログ変換回路に出力する第２電源回路と、前記第３基準電流又は前記第３基準電圧を前記第３ディジタル−アナログ変換回路に出力する第３電源回路とを具備したアクティブマトリクス型表示装置の色バランスを調整する方法であって、前記第１ディジタル映像信号の最大値に対応した前記アナログ映像信号を前記第１画素に書き込んで前記第１発光素子を発光させて輝度及び色度を測定する第１工程と、前記第２ディジタル映像信号の最大値に対応した前記アナログ映像信号を前記第２画素に書き込んで前記第２発光素子を発光させて輝度及び色度を測定する第２工程と、前記第３ディジタル映像信号の最大値に対応した前記アナログ映像信号を前記第３画素に書き込んで前記第３発光素子を発光させて輝度及び色度を測定する第３工程と、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させたときに輝度及び色度が特定の値となるように、前記第１乃至第３基準電流又は前記第１乃至第３基準電圧を、前記第１乃至第３工程で行った測定の結果に基づいて再設定する第４工程と、
前記第１乃至第３基準電流又は前記第１乃至第３基準電圧を再設定した後に、前記第１乃至第３画素に前記第１ディジタル映像信号の最大値に対応した前記アナログ映像信号と前記第２ディジタル映像信号の最大値に対応した前記アナログ映像信号と前記第３ディジタル映像信号の最大値に対応した前記アナログ映像信号とをそれぞれ書き込んで前記第１乃至第３有機ＥＬ素子を同時に発光させて輝度及び色度を測定する第５工程と、前記第５工程で行った測定の結果が許容範囲内にあり且つ前記第５工程で測定を行っているときの消費電力が上限値を超えている場合に、前記消費電力が前記上限値以下となるように、前記第１乃至第３基準電流又は前記第１乃至第３基準電圧を再設定する第６工程とを含み、前記第５工程で行った測定の結果が前記許容範囲内にあり且つ前記第５工程で測定を行っているときの前記消費電力が前記上限値を超えている場合には、前記第６工程の後に、前記第５工程を再度行い、前記第５工程で行った測定の結果が前記許容範囲外にある場合には、前記第１乃至第５工程を再度行うことを特徴とする方法が提供される。
【発明の効果】
【０００９】
本発明によると、表示素子として発光素子を含んだアクティブマトリクス型表示装置の色バランス調整に要する時間を短縮することが可能となる。
【発明を実施するための最良の形態】
【００１０】
以下、本発明の態様について、図面を参照しながら詳細に説明する。なお、各図において、同様又は類似した機能を発揮する構成要素には同一の参照符号を付し、重複する説明は省略する。
【００１１】
図１は、本発明の一態様に係る方法で製造可能な表示装置の一例を概略的に示す平面図である。図２は、図１の表示装置の一部を示す等価回路図である。
【００１２】
図１の表示装置は、アクティブマトリクス駆動方式を採用した下面発光型の有機ＥＬ表示装置である。この表示装置は、カラー画像を表示可能であり、表示パネルＤＰと、映像信号線ドライバＸＤＲと、走査信号線ドライバＹＤＲと、コントローラＣＮＴとを含んでいる。
【００１３】
表示パネルＤＰは、例えば、ガラス基板などの絶縁基板ＳＵＢを含んでいる。基板ＳＵＢ上には、アンダーコート層として、例えば、ＳｉＮx層とＳｉＯx層とが順次積層されている。
【００１４】
アンダーコート層上には、例えばソース及びドレインが形成されたポリシリコン層である半導体層、例えばＴＥＯＳ（tetraethyl orthosilicate）などを用いて形成され得るゲート絶縁膜、及び例えばＭｏＷなどからなるゲートが順次積層されており、それらはトップゲート型の薄膜トランジスタを構成している。この例では、これら薄膜トランジスタは、ｐチャネル薄膜トランジスタであり、図１及び図２に示す駆動制御素子ＤＲ及びスイッチＳＷａ乃至ＳＷｃとして利用している。
【００１５】
ゲート絶縁膜上には、キャパシタＣの一方の電極と走査信号線ＳＬ１及びＳＬ２とがさらに配置されている。これらは、ゲートと同一の工程で形成可能である。
【００１６】
走査信号線ＳＬ１及びＳＬ２は、図１に示すように、各々が後述する画素ＰＸＲ、ＰＸＧ及びＰＸＢの行方向（Ｘ方向）に延びており、画素ＰＸＲ、ＰＸＧ及びＰＸＢの列方向（Ｙ方向）に交互に配列している。これら走査信号線ＳＬ１及びＳＬ２は、走査信号線ドライバＹＤＲに接続されている。
【００１７】
ゲート絶縁膜、ゲート、走査信号線ＳＬ１及びＳＬ２、並びにキャパシタＣの一方の電極は、層間絶縁膜で被覆されている。層間絶縁膜は、例えばプラズマＣＶＤ法などにより成膜されたＳｉＯxなどからなる。この層間絶縁膜の一部は、キャパシタＣの誘電体層として利用する。
【００１８】
層間絶縁膜上には、キャパシタＣの他方の電極、ソース電極、ドレイン電極、映像信号線ＤＬ、及び電源線ＰＳＬが配置されている。これらは、同一工程で形成可能であり、例えば、Ｍｏ／Ａｌ／Ｍｏの三層構造を有している。
【００１９】
ソース電極及びドレイン電極は、層間絶縁膜に設けられたコンタクトホールを介して薄膜トランジスタのソース及びドレインに電気的に接続されている。
【００２０】
映像信号線ＤＬは、各々がＹ方向に延びており、Ｘ方向に配列している。これら映像信号線ＤＬは、映像信号線ドライバＸＤＲに接続されている。
【００２１】
電源線ＰＳＬは、この例では、各々がＹ方向に延びており、Ｘ方向に配列している。この例では、電源線ＰＳＬは、映像信号線ドライバＸＤＲに接続されている。
【００２２】
ソース電極、ドレイン電極、映像信号線ＤＬ、電源線ＰＳＬ、及びキャパシタＣの他方の電極は、パッシベーション膜で被覆されている。パッシベーション膜は、例えばＳｉＮxなどからなる。
【００２３】
パッシベーション膜上には、前面電極として、光透過性の画素電極が互いから離間して並置されている。各画素電極は、パッシベーション膜に設けた貫通孔を介して、スイッチＳＷａのドレイン電極に接続されている。
【００２４】
画素電極は、この例では陽極である。画素電極の材料としては、例えば、ＩＴＯ（indium tin oxide）のような透明導電性酸化物を使用することができる。
【００２５】
パッシベーション膜上には、さらに隔壁絶縁層が配置されている。隔壁絶縁層には、画素電極に対応した位置に貫通孔が設けられているか、或いは、画素電極が形成する列又は行に対応した位置にスリットが設けられている。ここでは、一例として、隔壁絶縁層には、画素電極に対応した位置に貫通孔が設けられていることとする。
【００２６】
隔壁絶縁層は、例えば、有機絶縁層である。隔壁絶縁層は、例えば、フォトリソグラフィ技術を用いて形成することができる。
【００２７】
画素電極上には、活性層として発光層を含んだ有機物層が配置されている。発光層は、例えば、発光色が赤色、緑色、又は青色のルミネセンス性有機化合物を含んだ薄膜である。この有機物層は、発光層に加え、正孔注入層、正孔輸送層、正孔ブロッキング層、電子輸送層、電子注入層などもさらに含むことができる。
【００２８】
隔壁絶縁層及び有機物層は、画素電極と向き合うように配置された対向電極で被覆されている。対向電極は、画素ＰＸＲ、ＰＸＧ及びＰＸＢの全てに共通の共通電極であり、この例では背面電極として設けられた光反射性の陰極である。対向電極は、例えば、パッシベーション膜と隔壁絶縁層とに設けられたコンタクトホールを介して、映像信号線ＤＬと同一の層上に形成された電極配線（図示せず）に電気的に接続されている。各々の有機ＥＬ素子ＯＬＥＤは、画素電極、有機物層及び対向電極で構成されている。
【００２９】
絶縁基板ＳＵＢ上では、画素ＰＸＲ、ＰＸＧ及びＰＸＢがマトリクス状に配列している。この例では、３つの画素ＰＸＲ、ＰＸＧ及びＰＸＢをＸ方向に並べてなるトリプレットがＸ方向とＹ方向とに配列している。
【００３０】
画素ＰＸＲ、ＰＸＧ及びＰＸＢの各々は、電源端子ＮＤ１及びＮＤ２間で直列に接続された駆動回路及び有機ＥＬ素子ＯＬＥＤを含んでいる。この例では、駆動回路は、駆動制御素子ＤＲと、キャパシタＣと、出力制御スイッチＳＷａと、信号供給制御スイッチＳＷｂと、ダイオード接続スイッチＳＷｃとを含んでいる。上記の通り、この例では、駆動制御素子ＤＲ及びスイッチＳＷａ乃至ＳＷｃは、ｐチャネル薄膜トランジスタである。また、スイッチＳＷｂ及びＳＷｃは、駆動制御素子ＤＲのドレインとゲートと映像信号線ＤＬとの接続を、それらが互いに接続された第１状態と、それらが互いから切断された第２状態との間で切り替えるスイッチ群を構成している。
【００３１】
駆動制御素子ＤＲと出力制御スイッチＳＷａと有機ＥＬ素子ＯＬＥＤとは、第１電源端子ＮＤ１と第２電源端子ＮＤ２との間で、この順に直列に接続されている。この例では、第１電源端子ＮＤ１は電源線ＰＳＬに接続された高電位電源端子であり、第２電源端子ＮＤ２は第１電源端子ＮＤ１と比較してより低い電位に設定された低電位電源端子である。
【００３２】
出力制御スイッチＳＷａのゲートは、走査信号線ＳＬ１に接続されている。信号供給制御スイッチＳＷｂは映像信号線ＤＬと駆動制御素子ＤＲのドレインとの間に接続されており、そのゲートは走査信号線ＳＬ２に接続されている。ダイオード接続スイッチＳＷｃは駆動制御素子ＤＲのドレインとゲートとの間に接続されており、そのゲートは走査信号線ＳＬ２に接続されている。
【００３３】
キャパシタＣは、定電位端子と駆動制御素子ＤＲのゲートとの間に接続されている。この例では、キャパシタＣは第１電源端子ＮＤ１と駆動制御素子ＤＲのゲートとの間に接続されている。
【００３４】
表示パネルＤＰ上には、映像信号線ドライバＸＤＲが配置されている。映像信号線ドライバＸＤＲは、３つの発光色に対応して第１乃至第３電源回路を含むと共に、これら電源回路に対応して複数の基準トランジスタＴＲrefを含んでいる。さらに、映像信号線ドライバＸＤＲは、マルチプレクサＭＬＴを含むと共に、１つの映像信号線ＤＬにつき複数組のトランジスタＴＲdgtとスイッチＳＷdgtとを含んでいる。なお、図２には、赤色の発光色に対応した構造のみを描いているが、緑色及び青色の発光色に対応した構造もこれと同様である。
【００３５】
電源回路は、電流源ＣＳと抵抗素子Ｒとを含んでいる。電流源ＣＳは、表示装置を駆動している間、予め設定した基準電流Ｉrefを出力する。電流源ＣＳと抵抗素子Ｒと基準トランジスタＴＲrefとは、一対の電源端子間で直列に接続されている。
【００３６】
基準トランジスタＴＲrefは、この例ではｐチャネル電界効果トランジスタである。基準トランジスタＴＲrefのソースは抵抗素子Ｒを介して電流源ＣＳの出力端子に接続されており、ドレインは接地線に接続されており、ゲートはドレインに接続されている。
【００３７】
トランジスタＴＲdgtとスイッチＳＷdgtとは、映像信号線ドライバＸＤＲの出力端子と接地線との間で直列に接続されている。この例では、トランジスタＴＲdgt及びスイッチＳＷdgtは、ｐチャネル電界効果トランジスタである。また、この例では、映像信号線ドライバＸＤＲは、１つの映像信号線ＤＬにつき、６つのトランジスタＴＲdgtと６つのスイッチＳＷdgtとを含んでいる。これらトランジスタＴＲdgt及びスイッチＳＷdgtと基準トランジスタＴＲrefとは、ディジタル−アナログ変換回路ＤＡＣを構成している。
【００３８】
トランジスタＴＲdgtのゲートは、それぞれ、基準トランジスタＴＲrefのゲートに接続されている。スイッチＳＷdgtのゲートは、それぞれ、マルチプレクサＭＬＴの出力端子に接続されている。
【００３９】
トランジスタＴＲdgtは、例えば、それらの１つが基準トランジスタＴＲrefと同一の構造を有しており、残りの５つがチャネル幅が異なること以外は基準トランジスタＴＲrefと同一の構造を有している。６つのトランジスタＴＲdgtは、それらに接続されているスイッチＳＷdgtが閉じている間、例えば、基準電流Ｉrefの１倍、２倍、４倍、８倍、１６倍、３２倍の大きさの定電流をそれぞれ出力する。
【００４０】
マルチプレクサＭＬＴは、クロック信号ＣＬＫ、スタート信号ＳＴＡＲＴ、シリアル信号としての映像信号ＤＡＴＡが入力される入力端子を含んでいる。さらに、マルチプレクサＭＬＴは、１つの映像信号線ＤＬにつき複数の出力端子を含んでいる。マルチプレクサＭＬＴは、クロック信号ＣＬＫとスタート信号ＳＴＡＲＴとに基づいて、シリアル信号としての映像信号ＤＡＴＡをパラレル信号に変換して出力する。この例では、マルチプレクサＭＬＴは、映像信号を６ビットのディジタル信号として出力する。
【００４１】
表示パネルＤＰ上には、走査信号線ドライバＹＤＲがさらに配置されている。上記の通り、走査信号線ドライバＹＤＲには、走査信号線ＳＬ１及びＳＬ２が接続されている。走査信号線ドライバＹＤＲの動作は、スタート信号及びクロック信号などの制御信号によって制御される。走査信号線ドライバＹＤＲは、これら制御信号に基づいて、走査信号線ＳＬ１及びＳＬ２に第１及び第２走査信号をそれぞれ出力する。
【００４２】
映像信号線ドライバＸＤＲと走査信号線ドライバＹＤＲとは、コントローラＣＮＴに接続されている。コントローラＣＮＴは、走査信号線ドライバＹＤＲにスタート信号及びクロック信号などの制御信号を出力し、映像信号線ドライバＸＤＲにクロック信号ＣＬＫ及びスタート信号ＳＴＡＲＴなどの制御信号と映像信号ＤＡＴＡとを出力する。加えて、コントローラＣＮＴは、映像信号線ドライバＸＤＲに、各電流源ＣＳが出力する基準電流Ｉrefの大きさを制御する制御信号を出力する。
【００４３】
この表示装置を駆動する場合、有効走査期間と垂直ブランキング期間とを交互に繰り返す。各有効走査期間においては、画素ＰＸＲ、ＰＸＧ及びＰＸＢを行毎に選択する。画素ＰＸＲ、ＰＸＧ及びＰＸＢを選択している選択期間では、それら画素ＰＸＲ、ＰＸＧ及びＰＸＢに対して書込動作を行う。また、画素ＰＸＲ、ＰＸＧ及びＰＸＢを選択していない非選択期間では、それら画素ＰＸＲ、ＰＸＧ及びＰＸＢで有効表示動作を行う。
【００４４】
例えば、ｍ行目の画素ＰＸＲ、ＰＸＧ及びＰＸＢを選択している期間（以下、ｍ行目選択期間という）では、まず、ｍ行目の画素ＰＸＲ、ＰＸＧ及びＰＸＢのスイッチＳＷａを開く。次いで、マルチプレクサＭＬＴからディジタル−アナログ変換回路ＤＡＣに６ビットのディジタル映像信号を出力すると共に、ｍ行目の画素ＰＸＲ、ＰＸＧ及びＰＸＢのスイッチＳＷｂ及びＳＷｃを閉じる。なお、有効走査期間において、基準トランジスタＴＲrefには基準電流Ｉrefを流したままにしておく。
【００４５】
ディジタル−アナログ変換回路ＤＡＣは、ディジタル映像信号をアナログ映像信号としての書込電流Ｉsigｍに変換する。この書込電流Ｉsigｍは、第１電源端子ＮＤ１からディジタル−アナログ変換回路ＤＡＣへと流れる。これにより、ｍ行目の画素ＰＸＲ、ＰＸＧ及びＰＸＢの各々において、駆動制御素子ＤＲのゲート電位を、駆動制御素子ＤＲのソース−ドレイン間に書込電流Ｉsigｍが流れるときの値に設定する。
【００４６】
その後、ｍ行目の画素ＰＸＲ、ＰＸＧ及びＰＸＢのスイッチＳＷｂ及びＳＷｃを開く。さらに、それら画素ＰＸＲ、ＰＸＧ及びＰＸＢのスイッチＳＷａを閉じることにより、ｍ行目選択期間を終了する。
【００４７】
スイッチＳＷａを閉じると、有機ＥＬ素子ＯＬＥＤには、書込電流Ｉsigｍに対応した大きさの駆動電流Ｉdrvｍが流れる。非選択期間では、スイッチＳＷａは閉じたままとする。したがって、先の画素ＰＸＲ、ＰＸＧ及びＰＸＢの有機ＥＬ素子ＯＬＥＤは、それらが次に選択されるまで、駆動電流Ｉdrvｍの大きさに対応した輝度で発光し続ける。
【００４８】
ｍ行目選択期間を終了した後、ｍ＋１行目選択期間を開始する。ｍ＋１行目選択期間では、ｍ＋１行目の画素ＰＸＲ、ＰＸＧ及びＰＸＢに対して、上記の書込動作を実施する。以上のようにして、１乃至Ｍ行目の画素ＰＸＲ、ＰＸＧ及びＰＸＢに対して、書込動作を行毎に順次実施する。
【００４９】
この表示装置は、例えば、以下の方法により製造する。  
まず、図１及び図２を参照しながら説明した表示装置を得る。次いで、図３に示す方法により、この表示装置の色バランスを調整する。
【００５０】
図３は、本発明の一態様に係る色バランス調整方法を示すフローチャートである。なお、図３において、参照符号ＩR、ＩG、ＩBは、それぞれ、画素ＰＸＲ、ＰＸＧ、ＰＸＢに供給するアナログ映像信号の生成に利用する基準電流Ｉrefを示している。
【００５１】
この方法では、まず、基準電流ＩR、ＩG、ＩBを初期値ＩR（０）、ＩG（０）、ＩB（０）に設定しておく。初期値ＩR（０）、ＩG（０）、ＩB（０）の大きさは任意であるが、典型的には、最終的に設定すべき基準電流ＩR、ＩG、ＩBの予測される大きさとほぼ等しくする。
【００５２】
次に、第１工程Ｓ１と第２工程Ｓ２と第３工程Ｓ３とを実施する。工程Ｓ１乃至Ｓ３の順序に特に制限はないが、ここでは、一例として、工程Ｓ１乃至Ｓ３はこの順に実施することとする。
【００５３】
工程Ｓ１では、画素ＰＸＲの有機ＥＬ素子ＯＬＥＤのみを発光させて、赤色の輝度及び色度を測定する。具体的には、マルチプレクサＭＬＴが出力するディジタル映像信号の最大値に対応したアナログ映像信号を第１調整用映像信号として画素ＰＸＲの各々に書き込み、マルチプレクサＭＬＴが出力するディジタル映像信号の最小値に対応したアナログ映像信号を画素ＰＸＧ及びＰＸＢの各々に書き込む。このとき、基準電流ＩRは、初期値ＩR（０）に維持する。そして、画素ＰＸＲの有機ＥＬ素子ＯＬＥＤのみを発光させて、赤色ラスタ画像の輝度及び色度を測定する。
【００５４】
工程Ｓ２では、画素ＰＸＧの有機ＥＬ素子ＯＬＥＤのみを発光させて、緑色の輝度及び色度を測定する。具体的には、マルチプレクサＭＬＴが出力するディジタル映像信号の最大値に対応したアナログ映像信号を第２調整用映像信号として画素ＰＸＧの各々に書き込み、マルチプレクサＭＬＴが出力するディジタル映像信号の最小値に対応したアナログ映像信号を画素ＰＸＢ及びＰＸＲの各々に書き込む。このとき、基準電流ＩGは、初期値ＩG（０）に維持する。そして、画素ＰＸＧの有機ＥＬ素子ＯＬＥＤのみを発光させて、緑色ラスタ画像の輝度及び色度を測定する。
【００５５】
工程Ｓ３では、画素ＰＸＢの有機ＥＬ素子ＯＬＥＤのみを発光させて、青色の輝度及び色度を測定する。具体的には、マルチプレクサＭＬＴが出力するディジタル映像信号の最大値に対応したアナログ映像信号を第３調整用映像信号として画素ＰＸＢの各々に書き込み、マルチプレクサＭＬＴが出力するディジタル映像信号の最小値に対応したアナログ映像信号を画素ＰＸＲ及びＰＸＧの各々に書き込む。このとき、基準電流ＩBは、初期値ＩB（０）に維持する。そして、画素ＰＸＢの有機ＥＬ素子ＯＬＥＤのみを発光させて、青色ラスタ画像の輝度及び色度を測定する。
【００５６】
次に、第４工程Ｓ４を実施する。工程Ｓ４では、工程Ｓ１乃至Ｓ３における測定の結果に基づいて、基準電流ＩR、ＩG、ＩBを再設定する。具体的には、画素ＰＸＲ、ＰＸＧ、ＰＸＢの全ての有機ＥＬ素子ＯＬＥＤを同時に発光させて、或る特定の白色画像（以下、理想白色画像という）を表示することを仮定する。そして、画素ＰＸＲ、ＰＸＧ、ＰＸＢにディジタル映像信号の最大値に対応したアナログ映像信号をそれぞれ供給したときに表示される白色画像の輝度及び色度が、先の理想表示画像の輝度及び色度と一致するように、工程Ｓ１乃至Ｓ３における測定の結果に基づいて、基準電流ＩR、ＩG、ＩBを再設定する。基準電流ＩR、ＩG、ＩBの再設定には、例えば、下記等式（１）乃至（１４）に示すアルゴリズムを利用することができる。
【数１】
0004455620.tif 000002
【００５７】
【数２】
0004455620.tif 000003
【００５８】
【数３】
0004455620.tif 000004
【００５９】
【数４】
0004455620.tif 000005
【００６０】
式中、ＹR、ＹG、ＹBは、それぞれ、赤色、緑色、青色ラスタ画像について得られたＣＩＥ表色系の３刺激値のＹを表している。ｘR、ｘG、ｘBは、それぞれ、赤色、緑色、青色ラスタ画像について得られた色度座標（ｘ，ｙ）のｘを表している。ｙR、ｙG、ｙBは、それぞれ、赤色、緑色、青色ラスタ画像について得られた色度座標（ｘ，ｙ）のｙを表している。ＹW（ＩＶ）は、理想白色画像のＣＩＥ表色系の３刺激値のＹを表している。ｘW（ＩＶ）及びｙW（ＩＶ）は、それぞれ、理想白色画像の色度座標（ｘ，ｙ）のｘ及びｙを表している。また、等式（１２）乃至（１４）において、右辺のＩR、ＩG、ＩBは再設定前の基準電流ＩR、ＩG、ＩBであり、左辺のＩR’、ＩG’、ＩB’は再設定後の基準電流ＩR、ＩG、ＩBである。
【００６１】
次に、第５工程Ｓ５を実施する。工程Ｓ５では、マルチプレクサＭＬＴが出力するディジタル映像信号の最大値に対応したアナログ映像信号を画素ＰＸＲ、ＰＸＧ、ＰＸＢの各々に書き込む。このとき、基準電流ＩR、ＩG、ＩBは、再設定値ＩR’、ＩG’、ＩB’に維持する。そして、画素ＰＸＲ、ＰＸＧ、ＰＸＢの全ての有機ＥＬ素子ＯＬＥＤを発光させて、白色画像の輝度及び色度を測定する。また、この白色画像を表示しているときの、表示装置又は画素ＰＸＲ、ＰＸＧ、ＰＸＢの消費電力Ｗを測定する。
【００６２】
白色画像の輝度及び色度が許容範囲内にあり且つ消費電力Ｗが許容範囲内にある場合には、色バランスの調整を終了する。また、白色画像の輝度及び色度が許容範囲外にある場合には、シーケンスＳ１乃至Ｓ５を再度実施する。なお、通常、消費電力Ｗの許容範囲は、上限値Ｗ（ＵＬ）のみを定め、下限値は規定しない。
【００６３】
白色画像の輝度及び色度が許容範囲内にあり且つ消費電力Ｗが許容範囲外にある場合には、第６工程Ｓ６を実施する。第６工程Ｓ６では、消費電力Ｗが上限値Ｗ（ＵＬ）以下となるように、基準電流ＩR、ＩG、ＩBを再設定する。基準電流ＩR、ＩG、ＩBの再設定には、例えば、下記等式（１５）乃至（１７）に示すアルゴリズムを利用することができる。
【数５】
0004455620.tif 000006
【００６４】
式中、Ｗ（ＩＶ）は、上限値Ｗ（ＵＬ）よりも小さな消費電力（以下、理想消費電力という）を表している。また、等式（１５）乃至（１７）において、右辺のＩR、ＩG、ＩBは再設定前の基準電流ＩR、ＩG、ＩBであり、左辺のＩR”、ＩG”、ＩB”は再設定後の基準電流ＩR、ＩG、ＩBである。
【００６５】
工程Ｓ６における再設定の後、工程Ｓ５を実施する。工程Ｓ５において表示する白色画像の輝度及び色度が許容範囲内にあり且つ消費電力Ｗが許容範囲内にある場合には、色バランスの調整を終了する。
【００６６】
工程Ｓ５において表示する白色画像の輝度及び色度が許容範囲内にあり且つ消費電力Ｗが許容範囲外にある場合には、第６工程Ｓ６を再度実施する。その後、工程Ｓ５を実施し、白色画像の輝度及び色度が許容範囲内にあり且つ消費電力Ｗが許容範囲内にある場合には、色バランスの調整を終了する。白色画像の輝度及び色度が許容範囲内にあり且つ消費電力Ｗが許容範囲外にある場合には、シーケンスＳ６及びＳ５を再度実施する。工程Ｓ５において表示する白色画像の輝度及び色度が許容範囲内にある限り、消費電力Ｗが許容範囲内になるまで、シーケンスＳ６及びＳ５を繰り返す。
【００６７】
工程Ｓ５において表示する白色画像の輝度及び色度が許容範囲から外れている場合には、シーケンスＳ１乃至Ｓ５を再度実施する。シーケンスＳ１乃至Ｓ５は、工程Ｓ５において表示する白色画像の輝度及び色度が許容範囲内になるまで繰り返す。工程Ｓ５において表示する白色画像の輝度及び色度が許容範囲内となった場合、消費電力Ｗが許容範囲内にあれば色バランスの調整を終了し、消費電力Ｗが許容範囲から外れていれば上記のシーケンスＳ６及びＳ５を実施する。
【００６８】
なお、２回目以降のシーケンスＳ１乃至Ｓ５を開始する時点で、基準電流ＩR、ＩG、ＩBは、その前のシーケンスＳ１乃至Ｓ５の工程Ｓ４又は工程Ｓ６において再設定されている。また、工程Ｓ１乃至Ｓ３で得られる輝度及び色度は、基準電流ＩR、ＩG、ＩBに応じて変化する。それゆえ、後で行うシーケンスＳ１乃至Ｓ５の工程Ｓ１乃至Ｓ３では、その前に行ったシーケンスＳ１乃至Ｓ５の工程Ｓ１乃至Ｓ３で得られたのとは異なる測定結果が得られる。したがって、後で行うシーケンスＳ１乃至Ｓ５の工程Ｓ４では、基準電流ＩR、ＩG、ＩBは、その前に行ったシーケンスＳ１乃至Ｓ５の工程Ｓ４又は工程Ｓ６で設定したのとは異なる値に設定される。
【００６９】
以上のようにして、工程Ｓ５において表示する白色画像の輝度及び色度並びに消費電力Ｗを許容範囲内とする。コントローラＣＮＴには、実際の使用時における基準電流ＩR、ＩG、ＩBが先の色バランス調整で最後に設定した値と等しくなるように、必要な情報を記憶させておく。
【００７０】
この方法では、白色画像の輝度及び色度を許容範囲内とするための基準電流ＩR、ＩG、ＩBの再設定は、白色画像の輝度及び色度に基づいて行わずに、ラスタ画像の輝度及び色度に基づいて行う。そのため、この方法は、白色画像の輝度及び色度に基づいて基準電流ＩR、ＩG、ＩBを再設定した場合と比較して、白色画像の輝度及び色度を許容範囲内とすることが容易である。
【００７１】
また、この方法では、消費電力Ｗを許容範囲内とするための基準電流ＩR、ＩG、ＩBの再設定は、白色画像の輝度及び色度を許容範囲内とした後に行う。例えば等式（１５）乃至（１７）に示したアルゴリズムを使用すれば、この再設定に伴う白色画像の色度の変化は僅かである。
【００７２】
したがって、この方法によると、白色画像の輝度及び色度に基づいて基準電流ＩR、ＩG、ＩBの再設定を行う方法と比較して、より短い時間で色バランス調整を完了することができると共に、色バランス調整の自動化が容易である。
【００７３】
先の色バランス調整は、映像信号線ドライバＸＤＲ及び走査信号線ドライバＹＤＲにコントローラＣＮＴを接続する前に行ってもよい。或いは、色バランス調整は、表示パネルＤＰに映像信号線ドライバＸＤＲ及び走査信号線ドライバＹＤＲを搭載する前に行ってもよい。
【００７４】
シーケンスＳ１乃至Ｓ５の繰り返し回数Ｎ1、シーケンスＳ６及びＳ５の繰り返し回数Ｎ2、それら繰り返し回数の和Ｎ1＋Ｎ2の少なくとも１つに上限を設けてもよい。この場合、繰り返し回数が上限を超えた被調整品は、例えば、規格外品として扱ってもよい。
【００７５】
先の色バランス調整で最後に設定した基準電流ＩR、ＩG、ＩBに基づいて、初期値ＩR（０）、ＩG（０）、ＩB（０）を変更してもよい。例えば、先の色バランス調整で最後に設定した基準電流ＩR、ＩG、ＩBを記録しておき、各々の平均値を初期値ＩR（０）、ＩG（０）、ＩB（０）として利用してもよい。
【００７６】
先の色バランス調整で最後に測定した白色画像の輝度及び色度に基づいて、理想白色画像のＹW（ＩＶ）、ｘW（ＩＶ）、ｙW（ＩＶ）を変更してもよい。例えば、先の色バランス調整で最後に測定した白色画像の輝度及び色度を記録しておき、各々の平均値に基づいて理想白色画像のＹW（ＩＶ）、ｘW（ＩＶ）、ｙW（ＩＶ）を再設定してもよい。
【００７７】
同様に、先の色バランス調整で最後に測定した消費電力Ｗに基づいて、理想消費電力Ｗ（ＩＶ）を変更してもよい。例えば、先の色バランス調整で最後に測定した消費電力Ｗを記録しておき、その平均値に基づいて理想消費電力Ｗ（ＩＶ）を再設定してもよい。
【００７８】
本態様では、画素ＰＸＲ、ＰＸＧ及びＰＸＢに図１の構造を採用したが、これらには他の構造を採用することも可能である。例えば、ダイオード接続スイッチＳＷｃは、駆動制御素子ＤＲのドレインとゲートとの間に接続する代わりに、駆動制御素子ＤＲのゲートと映像信号線ＤＬとの間に接続してもよい。或いは、信号供給制御スイッチＳＷｂは、駆動制御素子ＤＲのドレインと映像信号線ＤＬとの間に接続する代わりに、駆動制御素子ＤＲのゲートと映像信号線ＤＬとの間に接続してもよい。
【００７９】
また、本態様では、画素ＰＸＲ、ＰＸＧ及びＰＸＢにアナログ映像信号として電流信号を書き込む構成を採用したが、画素ＰＸＲ、ＰＸＧ及びＰＸＢにアナログ映像信号として電圧信号を書き込む構成を採用することもできる。この場合、アナログ映像信号の大きさの基準として基準電流Ｉrefを使用する代わりに、基準電圧Ｖrefを使用する。そして、この場合、発光色毎に基準電流Ｉrefを再設定する代わりに発光色毎に基準電圧Ｖrefを再設定すること以外は上記と同様の方法により色バランス調整を行う。
【００８０】
本態様では、発光素子として有機ＥＬ素子を使用したが、他の発光素子を使用することもできる。例えば、発光素子として発光ダイオードや無機ＥＬ素子をしてもよい。
【図面の簡単な説明】
【００８１】
【図１】本発明の一態様に係る方法で製造可能な表示装置の一例を概略的に示す平面図。
【図２】図１の表示装置の一部を示す等価回路図。
【図３】本発明の一態様に係る色バランス調整方法を示すフローチャート。
【符号の説明】
【００８２】
Ｃ…キャパシタ、ＣＮＴ…コントローラ、ＣＳ…電流源、ＤＡＣ…ディジタル−アナログ変換回路、ＤＬ…映像信号線、ＤＰ…表示パネル、ＤＲ…駆動制御素子、ＭＬＴ…マルチプレクサ、ＮＤ１…電源端子、ＮＤ２…電源端子、ＯＬＥＤ…有機ＥＬ素子、ＰＳＬ…電源線、ＰＸＢ…画素、ＰＸＧ…画素、ＰＸＲ…画素、Ｒ…抵抗素子、Ｓ１…工程、Ｓ２…工程、Ｓ３…工程、Ｓ４…工程、Ｓ５…工程、Ｓ６…工程、ＳＬ１…走査信号線、ＳＬ２…走査信号線、ＳＵＢ…基板、ＳＷａ…スイッチ、ＳＷｂ…スイッチ、ＳＷｃ…スイッチ、ＳＷdgt…スイッチ、ＴＲdgt…トランジスタ、ＴＲref…基準トランジスタ、ＸＤＲ…映像信号線ドライバ、ＹＤＲ…走査信号線ドライバ。
【図１】
0004455620.tif 000007
【図２】
0004455620.tif 000008
【図３】
0004455620.tif 000009